(57)【要約】【課題】工具類を一切使わずに、簡単な手動操作でＰＯＰタグの表示高さを変更して効果的なＰＯＰ表示が行えるように改良した使い勝手性のよいＰＯＰ表示装置付きのショーケースを提供する。【解決手段】商品陳列棚を内装したケース本体の庫内上部にＰＯＰレール８を敷設し、このＰＯＰレールにＰＯＰタグ１０を吊り掛けてケース前方へ表示するようにしたＰＯＰ表示装置付きのショーケースで、前記ＰＯＰレールを庫内の天井パネルに取り付けた縦向きのブラケット９に架け渡したものにおいて、前記ブラケット９には、ＰＯＰレールを着脱可能に係合支持する掛止部として、ブラケットの前縁にはＰＯＰレールが嵌まり込む棚溝９ａ〜９ｃを上下段に並べて形成するとともに、ＰＯＰレールを選択した前記レール掛止部に保持するためのレール固定部材として、ブラケットの前縁側にスプリングワイヤを敷設してそのワイヤの上下両端をブラケットに係止し、そのばね力でＰＯＰレールをブラケットの掛止段位置に押さえ込むようにする。【選択図】        図１
2006346319.tif 000002
【特許請求の範囲】
【請求項１】
商品陳列棚を内装したケース本体の庫内上部にＰＯＰレールを敷設し、このＰＯＰレールにＰＯＰタグを吊り掛けてケース前方へ表示するようにしたショーケースであり、前記ＰＯＰレールを庫内の天井パネルに取り付けた縦向きのブラケットに架け渡したものにおいて、
前記ブラケットに、ＰＯＰレールを着脱可能に係合支持する上下複数段のレール掛止部を形成するとともに、ＰＯＰレールを選択した前記レール掛止部に保持するレール固定部材を設けたことを特徴とするショーケース。
【請求項２】
請求項１記載のショーケースにおいて、レール掛止部として、ブラケットの前縁に沿ってＰＯＰレールが嵌まり込む棚溝を上下段に並べて形成したことを特徴とするショーケース。
【請求項３】
請求項１記載のショーケースにおいて、レール固定部材がブラケットの前縁側に沿って敷設したスプリングワイヤであり、該ワイヤの上下両端をブラケットに係止してＰＯＰレールをブラケットの掛止部に押さえ込むようにしたことを特徴とするショーケース。
【発明の詳細な説明】
【技術分野】
【０００１】
本発明は、スーパーマーケットなどの店舗に据付けて使用するオープンショーケースなどを対象としたショーケースに関し、詳しくはショーケースの庫内に設けたＰＯＰ表示装置の構造に係わる。
【背景技術】
【０００２】
頭記のオープンショーケースで庫内に陳列した商品に関する価格などの情報アイテムを表示する手段として、ケース本体の庫内上部にＰＯＰレールを敷設し、このＰＯＰレールにＰＯＰタグを吊り掛けてケース前方へ表示するようにしたＰＯＰ表示装置付きのショーケースが知られている（例えば、特許文献１参照）。
このショーケースでは、前記のＰＯＰレールを庫内の天井側に取り付けたブラケットの間に架け渡して所定高さに支持し、このＰＯＰレールにＰＯＰタグを引っ掛けて吊り下げ支持するようにしている。
【特許文献１】特開平１０−５０８４号公報
【発明の開示】
【発明が解決しようとする課題】
【０００３】
ところで、上記した従来のＰＯＰ表示装置では、ＰＯＰタグの表示性，使い勝手性で次記のような問題点かある。すなわち、従来構造ではＰＯＰレールがブラケットの先端に固定的に支持されている。このために、庫内での商品陳列状況に合わせてＰＯＰタグの表示高さ位置を変更したい場合でもその要求には直ちに対応できず、ブラケットを所望の長さのものに付替えるなど、工具を使った部品の付替え作業を必要とすることから、その改善策がユーザーのニーズとして要望されている。
本発明は上記の点に鑑みなされたものであり、その目的はＰＯＰレールのブラケットを交換して付け替える必要がなく、工具類を一切使わずに簡単な手動操作でＰＯＰタグの表示高さを変更して効果的なＰＯＰ表示が行えるように改良したＰＯＰ表示装置付きのショーケースを提供することを目的とする。
【課題を解決するための手段】
【０００４】
上記目的を達成するために、本発明によれば、商品陳列棚を内装したケース本体の庫内上部にＰＯＰレールを敷設し、このＰＯＰレールにＰＯＰタグを吊り掛けてケース前方へ表示するようにしたショーケースで、前記ＰＯＰレールを庫内の天井パネルに取り付けた縦向きのブラケットに架け渡したものにおいて、
前記ブラケットに、ＰＯＰレールを着脱可能に係合支持する上下複数段のレール掛止部を形成するとともに、ＰＯＰレールを選択した前記レール掛止部に保持するためのレール固定部材を設けるものとし（請求項１）、そのブラケットは具体的に次記のような態様で構成する。
（１）前記ブラケットのレール掛止部として、ブラケットの前縁に沿ってＰＯＰレールが嵌まり込む棚溝を上下段に並べて形成する（請求項２）。
（２）前記のレール固定部材として、ブラケットの前縁側に沿ってスプリングワイヤを敷設してそのワイヤの上下両端をブラケットに係止し、そのばね力でＰＯＰレールをブラケットの掛止段部に押さえ込むようにする（請求項３）。
【発明の効果】
【０００５】
上記の構成によれば、ロケーション先のショーケースで庫内に表示するＰＯＰタグの高さを変更する場合でも、工具類は一切使わずにブラケットに形成した上下段のレール掛止部のうち所望高さのレール係止部を選択してＰＯＰレールをこの位置まで手動で押し上げ，引き下げ操作することにより、工具類を一切使わずにＰＯＰレールを選択した掛止段部に移し替えてＰＯＰタグを新しい表示位置へ簡単に変更できる。
【発明を実施するための最良の形態】
【０００６】
以下、冷凍，冷蔵オープンショーケースを例に、本発明の実施の形態を図１，図２に示す実施例に基づいて説明する。
まず、図２において、１は前面を開放したオープンショーケースのケース本体、２はケース内箱、３は庫内の冷気循環通路、４は庫内に配備した商品陳列棚、５は庫内上部の奥部コーナーに配したミラー、６はケース本体の頂部前面に付設したキャノピー、７は庫内照明灯（蛍光灯）、８はケース本体１の間口に沿って庫内上部に敷設したＰＯＰレール、９は庫内の天井パネルに取り付けてＰＯＰレール８を架け渡すブラケット、１０はＰＯＰレール８に引っ掛けて吊り下げ支持したＰＯＰタグである。
ここで、前記ブラケット９は、図１で示すように上端にネジ座を設けた縦長な板であって、その前縁側にはレール係止部として下段，中段，上段に分けて高さの異なる位置にＰＯＰレール８が嵌まり込む棚溝９ａ，９ｂ，９ｃが鋸歯状に形成されている。また、前記の棚溝９ａ，９ｂ，９ｃに沿ってその前方には、ＰＯＰレール８の固定部材としてスプリングワイヤ１１が敷設されており、そのスプリングワイヤ１１は上下両端をブラケット９の穴（片方は長穴）に係合してワイヤが前方へ撓み可能に支持されている。
【０００７】
そして、上記構造のブラケット９に対して、ＰＯＰレール８はブラケットの棚溝に嵌め込み、前方からスプリングワイヤ１１により押え込んで脱落しないように保持している。なお、図１では、実線で示すＰＯＰレール８を中段の棚溝９ｂに掛け止めしている状態を表している。
この使用状態からＰＯＰタグ１０の表示高さ位置を変更する場合には、ＰＯＰレール８を手に持って押し上げるか、引き下げかして鎖線で示す高さ位置に移動する。この場合にＰＯＰレール８をブラケット９の前縁傾斜面に沿って押し上げるとスプリングワイヤ１１が前方に撓み、ＰＯＰレール８が上段の棚溝と９ｃに嵌まり込むとスプリングワイヤ１１が復元してＰＯＰレール８を上段位置に押え込んで、この位置に掛止保持する。また、ＰＯＰレール８を下段に下げる場合には、レールを前方に寄せながら棚溝から下段の棚溝に移し変えることで、同様に掛止保持される。
【０００８】
これにより、ＰＯＰレール８に引っ掛けたＰＯＰタグ１０の表示高さ位置を商品の陳列状況に合わせて所望の段位置に変更する場合に、工具類を一切使うことなく簡単な手動操作でＰＯＰレール８の掛止高さを変更できる。
【図面の簡単な説明】
【０００９】
【図１】本発明の実施例によるＰＯＰ表示装置の要部構造の斜視図
【図２】図１のＰＯＰ表示装置を装備したオープンショーケースの上部断面図
【符号の説明】
【００１０】
１    ケース本体
４    商品陳列棚
８    ＰＯＰレール
９    ブラケット
９ａ〜９ｃ  棚溝（レール掛止部）
１０    ＰＯＰタグ
１１    スプリングワイヤ（レール固定部材）
【図１】
2006346319.tif 000003
【図２】
2006346319.tif 000004